(57)【特許請求の範囲】
【請求項１】
ガス側冷媒連絡配管（１７ａ）および液側冷媒連絡配管（１７ｂ）によって室内ユニット（３）と接続される空気調和装置の室外ユニット（２）であって、
前記ガス側冷媒連絡配管（１７ａ）が接続される第１接続口（１８ａ）を有するガス側閉鎖弁（１８）と、
前記液側冷媒連絡配管（１７ｂ）が接続される第２接続口（１９ａ）を有する液側閉鎖弁（１９）と、
を備え、
前記第１接続口（１８ａ）と前記第２接続口（１９ａ）とは、ともに下側に向いており、平面視において前後および左右にオフセットされている、
空気調和装置の室外ユニット（２）。
【請求項２】
前記液側冷媒連絡配管（１７ｂ）は、
前記第１接続口（１８ａ）から下方に引き出され前後方向に曲がることなく左右方向に曲げられたときに、前記第２接続口（１９ａ）から下方に引き出され前後方向に曲がることなく左右方向に曲げられた前記ガス側冷媒連絡配管（１７ａ）と、高さ方向に少なくとも一部が重なり、
前記第１接続口（１８ａ）から下方に引き出され左右方向に曲がることなく前後方向に曲げられたときに、前記第２接続口（１９ａ）から左右方向に曲がることなく前後方向に曲げられた前記ガス側冷媒連絡配管（１７ａ）と、高さ方向に少なくとも一部が重なる、
請求項１に記載の空気調和装置の室外ユニット（２）。
【請求項３】
前記第１接続口（１８ａ）と前記第２接続口（１９ａ）とは、前後および左右に概ね同じ距離（Ｌ１）だけオフセットされている、
請求項１又は２に記載の空気調和装置の室外ユニット（２）。
【請求項４】
前記ガス側閉鎖弁（１８）および前記液側閉鎖弁（１９）を覆い、少なくとも前記ガス側閉鎖弁（１８）および前記液側閉鎖弁（１９）の下方に開口が形成されている箱状のケーシング（２１，２２，２３，６１）と、
設置面と前記ケーシングの下面（６１）との間にスペースを確保するための底上げ部材（５１，５２，５３，５４）と、
をさらに備えた請求項１から３のいずれかに記載の空気調和装置の室外ユニット（２）。
【発明の詳細な説明】
【０００１】
【発明の属する技術分野】
本発明は、空気調和装置の室外ユニット、特に、ガス側冷媒連絡配管および液側冷媒連絡配管によって室内ユニットと接続される空気調和装置の室外ユニットに関する。
【０００２】
【従来の技術】
ビル等の建物や一般の住宅において利用されている空気調和装置では、室内ユニットと室外ユニットとを連絡配管で接続するセパレート型のものが広く普及している。例えば、ビルに設置されるマルチタイプのセパレート型空気調和装置では、屋上などに室外ユニットが、各フロアーの天井などに室内ユニットがそれぞれ配置され、ガス側冷媒配管および液側冷媒配管によって室外ユニットと室内ユニットとを連絡させ冷媒回路を形成している。
【０００３】
このような空気調和装置の室外ユニットは、内部の冷媒回路の末端に、ガス側閉鎖弁および液側閉鎖弁を備えている。これらの閉鎖弁は、現地において室外ユニットおよび室内ユニットが配備され、室内ユニットからのガス側冷媒配管および液側冷媒配管が接続された後に、閉状態から開状態に切り換えられる。これにより、室外ユニットと室内ユニットとの間で冷媒が流通できるようになる。
【０００４】
ところで、従来の室外ユニット１０２におけるガス側閉鎖弁１１８および液側閉鎖弁１１９は、図７に示すようにケーシングの正面１２１に沿って左右に並んでいたり、あるいはケーシングの側面１２２に沿って前後に並んでいたりしている（図示せず）。このように両閉鎖弁１１８，１１９を隣接させることによって、閉鎖弁１１８，１１９の配管接続口１１８ａ，１１９ａから引き出されるガス側冷媒配管および液側冷媒配管に対し、２つの配管をまとめて保温のためのテープを巻いたり金属化粧板でカバーしたりする作業がやりやすくなる。
【０００５】
【発明が解決しようとする課題】
しかし、図７に示すようにケーシングの一面に沿ってガス側閉鎖弁の配管接続口および液側閉鎖弁の配管接続口を並べると、その一面に直交する向きに配管を引き出す場合には問題がないが、その一面に沿った方向に配管を引き出す場合には、異なる高さ位置において引き出さなければ配管が干渉してしまう。もちろん、ガス側冷媒配管および液側冷媒配管を引き出す高さ位置をずらせば問題はないが、スペース的な制約や作業性の観点から、２つの配管に高低差をつけることができないケースもあり得る。また、それぞれの現場において周囲の状況も異なっており、現場施工においては必ずしも都合のよい方向に配管を引き出せるとは限らない。
【０００６】
このようなことから、現地では、ガス側冷媒配管と液側冷媒配管との干渉を避けた結果、不要に曲がった配管経路となってしまうことがある。このことは、空気調和装置の設置コストを増大させる要因になるとともに、設置作業に要する時間を長くしてしまう要因になる。
本発明の課題は、空気調和装置の室外ユニットにおいて、各閉鎖弁から前後方向に冷媒配管を引き出す場合にも、各閉鎖弁から左右方向に冷媒配管を引き出す場合にも、配管が干渉することを抑えることにある。
【０００７】
【課題を解決するための手段】
請求項１に係る空気調和装置の室外ユニットは、ガス側冷媒連絡配管および液側冷媒連絡配管によって室内ユニットと接続される空気調和装置の室外ユニットであって、ガス側閉鎖弁と、液側閉鎖弁とを備えている。ガス側閉鎖弁は、ガス側冷媒連絡配管が接続される第１接続口を有している。液側閉鎖弁は、液側冷媒連絡配管が接続される第２接続口を有している。そして、第１接続口と第２接続口とは、ともに下側に向いており、平面視において、前後および左右にオフセットされている。
【０００８】
従来においては、第１接続口と第２接続口とは、前後に並んでいるか、あるいは左右に並んでいる。したがって、前後に並んでいる場合には、両接続口から引き出す冷媒連絡配管を同じ高さにおいて前後方向に引き出すと両配管が干渉し、左右に並んでいる場合には、両接続口から引き出す冷媒連絡配管を同じ高さにおいて左右方向に引き出すと両配管が干渉してしまう。
【０００９】
これに対し、請求項１に係る室外ユニットでは、第１接続口と第２接続口とが、平面視において、前後および左右にオフセットされている。このため、両接続口から冷媒連絡配管を前後方向に引き出したときにも左右方向に引き出したときにも平面視において両配管が干渉しないようにオフセット量を確保しておくことにより、両接続口から同じ高さにおいて前後方向に冷媒連絡配管を引き出しても左右方向に冷媒連絡配管を引き出しても、両配管が互いに干渉しなくなる。
このように、本請求項に係る室外ユニットでは、配管を干渉させることなく、各閉鎖弁からの冷媒連絡配管を前後方向にも左右方向にも引き出すことが可能となる。
【００１０】
請求項２に係る空気調和装置の室外ユニットは、請求項１に記載の空気調和装置の室外ユニットであって、液側冷媒連絡配管は、第１接続口から下方に引き出され前後方向に曲がることなく左右方向に曲げられたときに、第２接続口から下方に引き出され前後方向に曲がることなく左右方向に曲げられたガス側冷媒連絡配管と、高さ方向に少なくとも一部が重なる。また、液側冷媒連絡配管は、第１接続口から下方に引き出され左右方向に曲がることなく前後方向に曲げられたときに、第２接続口から左右方向に曲がることなく前後方向に曲げられたガス側冷媒連絡配管と、高さ方向に少なくとも一部が重なる。
【００１１】
ここでは、第１接続口と第２接続口とが前後および左右にオフセットされているため、両冷媒連絡配管の干渉を避けるために配管を曲げたり管継手を使用したりする作業を最小限に抑えることができる。
また、互いの中心を高さ方向に少しずらして平面視および側面視において一部が重なる状態で両配管を左右方向あるいは前後方向に引き出せば、両配管の占有スペースを高さ方向にも左右あるいは前後方向にもコンパクト化することができる。特に、両冷媒連絡配管の配管径が異なる場合には、このような構成が有効でることが多くなる。
【００１２】
請求項３に係る空気調和装置の室外ユニットは、請求項１又は２に記載の空気調和装置の室外ユニットであって、第１接続口と第２接続口とは、前後および左右に概ね同じ距離だけオフセットされている。
ここでは、第１接続口と第２接続口とが前後および左右に概ね同じ距離だけオフセットされているため、これらから前後又は左右に引き出される冷媒連絡配管の干渉を抑えつつ、第１接続口と第２接続口との相対距離を小さく抑えてガス側閉鎖弁と液側閉鎖弁とが占有するスペースを小さくすることができる。
なお、第１接続口と第２接続口とが前後および左右に概ね同じ距離だけオフセットされているため、平面視における両接続口の中心を結ぶ直線は、前後方向に沿う面および左右方向に沿う面に対して約４５°の傾斜を有することになる。
【００１３】
請求項４に係る空気調和装置の室外ユニットは、請求項１から３のいずれかに記載の空気調和装置の室外ユニットであって、箱状のケーシングと、底上げ部材とをさらに備えている。ケーシングは、ガス側閉鎖弁および液側閉鎖弁を覆い、少なくともガス側閉鎖弁および液側閉鎖弁の下方に開口が形成されている。底上げ部材は、設置面とケーシングの下面との間にスペースを確保する。
【００１４】
ここでは、第１接続口と第２接続口とを下側に向けるとともに、底上げ部材によって室外ユニットの設置面とケーシングの下面との間にスペースを空けているため、そのスペースに冷媒連絡配管を通して見栄えを向上させることが容易となる。
【００１５】
【発明の実施の形態】
＜空気調和装置の構成＞
本発明の一実施形態に係る空気調和装置の室外ユニットを含む空気調和装置の冷媒回路を、図１に示す。空気調和装置１は、ビル用のマルチタイプの空気調和装置であって、１つの室外ユニット２に対して複数の室内ユニット３が並列に接続される構成となっている。空気調和装置１の冷媒回路１０は、圧縮機１１、四路切換弁１２、室外熱交換器１３、室外膨張弁１４、室内膨張弁１５、室内熱交換器１６が順に接続されたものであり、蒸気圧縮式の冷凍サイクルとなっている。圧縮機１１、四路切換弁１２、室外熱交換器１３および室外膨張弁１４は室外ユニット２に含まれており、室内膨張弁１５および室内熱交換器１６は室内ユニット３に含まれている。また、四路切換弁１２と室内熱交換器１６との間はガス側冷媒連絡配管１７ａにより接続され、室外膨張弁１４と室内膨張弁１５との間は液側冷媒連絡配管１７ｂにより接続される。冷媒連絡配管１７ａ，１７ｂは、室外ユニット２と室内ユニット３との間に配置される。
【００１６】
なお、図１に示す空気調和装置１の冷媒回路は、実際の回路を簡略化したものである。例えば、実際の圧縮機１１は、インバータによる回転数制御を行う容量可変の圧縮機と、オンオフ制御が為される定容量の圧縮機とが組み合わされて用いられることが多い（図３参照）。また、室外ユニット２内には、受液器やアキュムレータ、その他の付属機器も設けられているが、ここでは図示を省略している。
【００１７】
室外ユニット２の内部冷媒回路の末端部には、ガス側閉鎖弁１８と液側閉鎖弁１９とが設けられている。ガス側閉鎖弁１８は四路切換弁１２側に配置されており、液側閉鎖弁１９は室外膨張弁１４側に配置されている。ガス側閉鎖弁１８にはガス側冷媒連絡配管１７ａが接続され、液側閉鎖弁１９には液側冷媒連絡配管１７ｂが接続される。これらの閉鎖弁１８，１９は、室外ユニット２や室内ユニット３を設置する時には閉状態にされている。そして、閉鎖弁１８，１９は、各ユニット２，３を現地に設置しガス側冷媒連絡配管１７ａおよび液側冷媒連絡配管１７ｂを閉鎖弁１８，１９に接続した後に開状態とされる。
【００１８】
＜空気調和装置の動作＞
次に、この空気調和装置の運転動作について説明する。
まず、冷房運転時は、四路切換弁１２が図１において実線で示す状態に保持される。圧縮機１１から吐出された高温高圧のガス冷媒は、四路切換弁１２を介して室外熱交換器１３に流入し、室外空気と熱交換して凝縮・液化する。液化した冷媒は、全開状態の室外膨張弁１４を通過し、液側冷媒連絡配管１７ｂを通って各室内ユニット３に流入する。室内ユニット３において、冷媒は、室内膨張弁１５で所定の低圧に減圧され、さらに室内熱交換器１６で室内空気と熱交換して蒸発する。そして、冷媒の蒸発によって冷却された室内空気は、図示しない室内ファンによって室内へと吹き出され、室内を冷房する。また、室内熱交換器１６で蒸発して気化した冷媒は、ガス側冷媒連絡配管１７ａを通って室外ユニット２に戻り、圧縮機１１に吸入される。
【００１９】
一方、暖房運転時は、四路切換弁１２が図１において破線で示す状態に保持される。圧縮機１１から吐出された高温高圧のガス冷媒は、四路切換弁１２を介して各室内ユニット３の室内熱交換器１６に流入し、室内空気と熱交換して凝縮・液化する。冷媒の凝縮によって加熱された室内空気は、室内ファンによって室内へと吹き出され、室内を暖房する。室内熱交換器１６において液化した冷媒は、全開状態の室内膨張弁１５から液側冷媒連絡配管１７ｂを通って室外ユニット２に戻る。室外ユニット２に戻った冷媒は、室外膨張弁１４で所定の低圧に減圧され、さらに室外熱交換器１３で室外空気と熱交換して蒸発する。そして、室外熱交換器１３で蒸発して気化した冷媒は、四路切換弁１２を介して圧縮機１１に吸入される。
なお、冷房運転時および暖房運転時のいずれの場合においても、停止中の室内ユニット３の室内膨張弁１５は閉状態になっており、その室内ユニット３の室内熱交換器１６には冷媒が流れない。
【００２０】
＜室外ユニットの構成＞
次に、図２および図３を参照して、室外ユニット２について詳述する。図２はケーシングや室外ファンを取り除いた形の室外ユニット２の斜視図であり、図３は高さ方向の中央部分から下方を見たときの平面図である。図２においては、閉鎖弁１８，１９の図示を省略している。また、内部の冷媒配管などについても図示を省略している。
【００２１】
ケーシングの正面板２１、側面板２２、背面板２３は、図３に示すように、支柱５１，５２，５３，５４の外側に装着される。また、鉛直に延びる４本の支柱５１〜５４は、下端付近の底フレーム６１と、上部の横ステー６２およびモータ支持台６３とによって、互いに連結されている。モータ支持台６３には、図示しない室外ファンを駆動するモータ７０が据え付けられている。
【００２２】
また、支柱５１〜５４は、底フレーム６１から下方にも延びている。したがって、室外ユニット２を設置面（床面）に据え付けた後には、底フレーム６１と設置面との間にスペースが形成される。このスペースは、ガス側冷媒連絡配管１７ａや液側冷媒連絡配管１７ｂを通すことが可能な大きさ（高さ）である。支柱５１〜５４の下端は、その一部を内側に折り曲げて形成された矩形の基礎脚５１ａ，５２ａ，５３ａ，５４ａとなっている。各基礎脚５１ａ，５２ａ，５３ａ，５４ａには、室外ユニット２を設置面に固定するためのケミカルアンカーなどを挿通させる貫通孔が形成されている。
底フレーム６１は、圧縮機１１や室外熱交換器１３を支持するとともに、取付板６４を介して閉鎖弁１８，１９を固定する役割も果たす。また、底フレーム６１は、閉鎖弁１８，１９の下方部分が開口している。
【００２３】
＜室外ユニットにおける閉鎖弁の配置＞
室外ユニット２のガス側閉鎖弁１８および液側閉鎖弁１９は、図３および図４に示すように、互いに隣接して並べられている。そして、ガス側閉鎖弁１８および液側閉鎖弁１９の並びの方向は、ケーシングの正面板２１に対しても側面板２２に対しても、概ね４５°の角度となっている。すなわち、ガス側閉鎖弁１８と液側閉鎖弁１９とは距離Ｌ２だけ離れて配置されているとともに、左右方向（正面板２１に沿う方向）に距離Ｌ１だけオフセットされており、且つ前後方向（側面板２２に沿う方向）にも距離Ｌ１だけオフセットされている。距離Ｌ２は、距離Ｌ１の約１．４倍となっている。
【００２４】
また、ガス側閉鎖弁１８の配管接続口１８ａも液側閉鎖弁１９の配管接続口１９ａも、同じ下側に向いている。図においては閉鎖弁１８，１９の構造を簡略化しているが、閉鎖弁１８，１９は、フレアナット（あるいはフランジ）により冷媒連絡配管１７ａ，１７ｂと接合する構造となる。
上記のような閉鎖弁１８，１９の配置をとることにより、両接続口１８ａ，１９ａに接続されるガス側および液側冷媒連絡配管１７ａ，１７ｂが左右方向の位置を維持したまま同じ高さ位置（例えば設置面と底フレーム６１との間の位置）において前方向に引き出されたときにも、ガス側および液側冷媒連絡配管１７ａ，１７ｂは互いに干渉しなくなっている（図４の１点鎖線で示す配管１７ａ，１７ｂを参照）。また、両接続口１８ａ，１９ａに接続されるガス側および液側冷媒連絡配管１７ａ，１７ｂが前後方向の位置を維持したまま同じ高さ位置において側方に引き出されたときにも、ガス側および液側冷媒連絡配管１７ａ，１７ｂは互いに干渉しなくなっている（図４の２点鎖線で示す配管１７ａ，１７ｂを参照）。
なお、本実施形態の室外ユニット２では、ガス側閉鎖弁１８と液側閉鎖弁１９との配置を図３および図４に示す配置としているが、ガス側閉鎖弁１８と液側閉鎖弁１９とが反対の位置に配置されていてもよい。
【００２５】
＜本実施形態に係る空気調和装置の室外ユニットの特徴＞
（１）
従来においては、ガス側閉鎖弁の配管接続口と液側閉鎖弁の配管接続口とは、ケーシングの側面板に沿って前後に並んでいるか、あるいはケーシングの正面板に沿って左右に並んでいる。したがって、前後に並んでいる場合には、両接続口から引き出す冷媒連絡配管を同じ高さにおいて前後方向に引き出すと両配管が干渉し、左右に並んでいる場合には、両接続口から引き出す冷媒連絡配管を同じ高さにおいて左右方向に引き出すと両配管が干渉してしまう。
【００２６】
これに対し、本実施形態に係る室外ユニット２では、ガス側閉鎖弁１８の配管接続口１８ａと液側閉鎖弁１９の配管接続口１９ａとは、平面視において、前後および左右に距離Ｌ１だけオフセットされている。これにより、両接続口１８ａ，１９ａから底フレーム６１の下方の同じ高さ位置において前後方向に冷媒連絡配管１７ａ，１７ｂを引き出しても左右方向に冷媒連絡配管１７ａ，１７ｂを引き出しても、両配管１７ａ，１７ｂが互いに干渉しなくなっている。したがって、冷媒連絡配管１７ａ，１７ｂを曲げたり管継手を使用したりする作業が最小限に抑えられることになる。
【００２７】
（２）
本実施形態に係る室外ユニット２では、ガス側閉鎖弁１８の配管接続口１８ａと液側閉鎖弁１９の配管接続口１９ａとが、前後および左右に同じ距離Ｌ１だけオフセットされている。これにより、両接続口１８ａ，１９ａの相対距離Ｌ２を小さく抑えることができており、ガス側閉鎖弁１８と液側閉鎖弁１９とがケーシング内において占有するスペースが小さく抑えられている。
【００２８】
なお、前後あるいは左右に両閉鎖弁を並べている従来に較べて相対距離Ｌ２自身は小さくなっておらず、すなわち斜めから見れば両閉鎖弁１８，１９の間がほぼ同じ距離が確保されているので、作業スペースは従来通り確保される。
（３）
本実施形態に係る室外ユニット２では、ガス側閉鎖弁１８の配管接続口１８ａと液側閉鎖弁１９の配管接続口１９ａとが同じように下に向いているため、これらの接続口１８ａ．１９ａから引き出してくる両冷媒連絡配管１７ａ，１７ｂをまとめて保温テープで巻いたり化粧金属板でカバーしたりすることが容易である。
【００２９】
（４）
本実施形態に係る室外ユニット２では、ガス側閉鎖弁１８の配管接続口１８ａと液側閉鎖弁１９の配管接続口１９ａとを下に向けるとともに、支柱５１〜５４の底フレーム６１よりも下側の部分によって室外ユニット２の設置面と底フレーム６１との間にスペースが空けられているため、そのスペースに両冷媒連絡配管１７ａ，１７ｂを通して見栄えを向上させることができる。
【００３０】
＜他の実施形態＞
上記実施形態では、ガス側閉鎖弁１８および液側閉鎖弁１９をケーシングの正面板２１に対しても側面板２２に対しても概ね４５°の角度となるように並べ、両接続口１８ａ，１９ａに接続されるガス側および液側冷媒連絡配管１７ａ，１７ｂが左右方向の位置を維持したまま同じ高さ位置において前方や側方に引き出されたときにも、ガス側および液側冷媒連絡配管１７ａ，１７ｂが平面視において離れた状態となり互いに干渉しないようになっている。
【００３１】
このような図４等に示す両閉鎖弁１８，１９の配置に代えて、図５に示す両閉鎖弁１８，１９の配置を採用することも可能である。
図５に示す閉鎖弁１８，１９の配置では、ガス側閉鎖弁１８と液側閉鎖弁１９とが、左右方向（正面板２１に沿う方向）に距離Ｌ３だけオフセットされており、且つ前後方向（側面板２２に沿う方向）に距離Ｌ４だけオフセットされている。距離Ｌ３は、両閉鎖弁１８，１９から配管１７ａ，１７ｂを左右方向に曲げることなく前方に引き出したときに、平面視において両配管１７ａ，１７ｂが重なることなく離れた状態になるような寸法にセットされている。一方、距離Ｌ４は、両閉鎖弁１８，１９から配管１７ａ，１７ｂを前後方向に曲げることなく側方に引き出したときに、平面視において両配管１７ａ，１７ｂの一部が重なるような比較的小さい寸法にセットされている。
【００３２】
このため、ここでは、図６に示すように、両閉鎖弁１８，１９を出た後のガス側および液側冷媒連絡配管１７ａ，１７ｂを前後に曲げることなく側方に引き出す際には、両配管１７ａ，１７ｂの中心を高さ方向に距離Ｌ５だけずらし、平面視において両配管１７ａ，１７ｂの一部が重なる状態で、両配管１７ａ，１７ｂを側方に引き出すことになる。これにより、両配管１７ａ，１７ｂが占める水平方向のスペースを小さく抑えつつ、配管１７ａ，１７ｂを曲げたり管継手を使用したりすることなく、閉鎖弁１８，１９から配管１７ａ，１７ｂを側方に引き出すことができている。一方、両配管１７ａ，１７ｂの中心を高さ方向に少し（距離Ｌ５）ずらしてはいるものの、図６に示すように両配管１７ａ，１７ｂの一部が側面視において重なる程度であり、概ね両配管１７ａ，１７ｂの高さ位置を同じにすることができている。このため、両配管１７ａ，１７ｂの占有スペースが高さ方向にコンパクト化された状態となっており、室外ユニットの設置面と底フレームとの隙間が狭い場合にも両配管１７ａ，１７ｂをそこに通すことが可能である。
【００３３】
【発明の効果】
本発明に係る空気調和装置の室外ユニットでは、ともに下側に向いている第１接続口と第２接続口とが平面視において前後および左右にオフセットされているため、両接続口から冷媒連絡配管を前後方向に引き出したときにも左右方向に引き出したときにも平面視において両配管が干渉しないようにオフセット量を確保しておくことにより、両接続口から同じ高さにおいて前後方向に冷媒連絡配管を引き出しても左右方向に冷媒連絡配管を引き出しても、両配管が互いに干渉しなくなる。
【図面の簡単な説明】
【図１】  本発明の一実施形態に係る室外ユニットを含む空気調和装置の冷媒回路図。
【図２】  ケーシング等を除く室外ユニットの斜視図。
【図３】  室外ユニットの内部上面視図。
【図４】  室外ユニットにおけるガス側閉鎖弁および液側閉鎖弁の配置を示す図。
【図５】  他の実施形態の室外ユニットにおけるガス側閉鎖弁および液側閉鎖弁の配置を示す図。
【図６】  図５のVI-VI矢視断面図。
【図７】  （ａ）従来の室外ユニットの正面図。
（ｂ）図７（ａ）のｂ−ｂ矢視図。
【符号の説明】
１    空気調和装置
２    室外ユニット
３    室内ユニット
１７ａ    ガス側冷媒連絡配管
１７ｂ    液側冷媒連絡配管
１８    ガス側閉鎖弁
１８ａ    配管接続口（第１接続口）
１９    液側閉鎖弁
１９ａ    配管接続口（第２接続口）
２１    正面板（ケーシング）
２２    側面板（ケーシング）
２３    背面板（ケーシング）
５１〜５４    支柱（底上げ部材）
６１    底フレーム（ケーシングの下面）
【図１】
0003719233.tif 000002
【図２】
0003719233.tif 000003
【図３】
0003719233.tif 000004
【図４】
0003719233.tif 000005
【図５】
0003719233.tif 000006
【図６】
0003719233.tif 000007
【図７】
0003719233.tif 000008